(57)【特許請求の範囲】
【請求項１】
支持軸回りに回動して開閉収納可能な給紙トレイを有する給紙装置において、
前記給紙トレイの前端側に配置された給紙ローラと、
前記給紙トレイ上にセットされた用紙を前記給紙ローラへ押圧するための加圧手段と、
前記給紙トレイの閉動作と連動して前記加圧手段による押圧を解除する圧解除手段と、
を備えたことを特徴とする給紙装置。
【請求項２】
前記加圧手段は、用紙を給紙ローラへ押圧する押上板と、この押上板を押圧する加圧レバーとからなり、
前記圧解除手段は、前記給紙トレイと一体的に設けられた圧解除レバーからなり、
前記給紙トレイの閉動作時に、前記圧解除レバーが前記加圧レバーを当接傾動して、前記加圧レバーの前記押上板への押圧を解除することを特徴とする請求項１記載の給紙装置。
【請求項３】
前記圧解除手段は、前記給紙トレイの閉動作と連動して回動し、前記押上板に当接して、該押上板を押し下げるレバーを有していることを特徴とする請求項１記載の給紙装置。
【発明の詳細な説明】
【０００１】
【発明の属する技術分野】
本発明は、複写機・プリンタ・ファックス等の開閉収納可能な給紙トレイを有する給紙装置に係り、特に、閉動作時における給紙装置の損傷を防止する技術に関するものである。
【０００２】
【従来の技術】
従来のこの種の給紙装置としては、給紙トレイ上にセットされた用紙を給紙用のローラへ押圧する押上板の支持軸が複写機・プリンタ・ファックス等（以下複写機等という。）の本体側に設けられると共に、押上板を給紙用のローラに押圧する弾性体が支持軸近傍に配置されているものが一般的であった。
【０００３】
このような構成の給紙トレイにあっては、給紙トレイを閉状態にする際に、押上板が上がったままでも開閉可能とされている。しかし、近年では、装置の小型化と用紙の大容量給紙化が求められており、手差し給紙においても従来の５０枚程度から１５０〜２５０枚程度が求められている。
【０００４】
このような大容量給紙化の要求に応えるためには、押上板の支点を、給紙ローラから遠避ける必要があり、かつ、装置の小型化に対応するため使用しない時は手差し給紙トレイを本体に収納する必要がある。図５に、このような形態の給紙装置を示す。図５において、手差し給紙トレイ２１は、複写機等の本体３０に支持軸２４で回動可能に装着され、この給紙トレイ２１には押上板２２が支点２３で回動可能に装着されると共に給紙ローラ２６の近傍に設けた加圧スプリング２５により給紙ローラ２６を押圧する構成とされている。
【０００５】
【発明が解決しようとする課題】
しかしながら、上記図５に示した構成において、押上板２２を上昇させたまま、即ち、加圧状態のまま手差し給紙トレイ２１を矢印Ｄ方向へ回動して本体３０側へ収納しようとすると、その回転軌跡により押上板２２の先端が矢印Ｅ方向へ移動して本体３０側内方に食い込み、本体３０側に装着された部品等と接触して、給紙トレイ２１又は本体３０の部品を破損させる恐れがあった。
【０００６】
本発明は、上記問題を解消するもので、給紙トレイの閉動作時に、用紙を給紙ローラに圧接する加圧手段が本体側に装着された部品等と接触することなく給紙トレイを開閉することができる給紙装置を提供することを目的とする。
【０００７】
【課題を解決するための手段】
上記目的を達成するために、請求項１記載の発明は、支持軸回りに回動して開閉収納可能な給紙トレイを有する給紙装置において、前記給紙トレイの前端側に配置された給紙ローラと、前記給紙トレイ上にセットされた用紙を前記給紙ローラへ圧接するための加圧手段と、前記給紙トレイの閉動作と連動して前記加圧手段による圧接を解除する圧解除手段とを備えたものである。
【０００８】
上記構成においては、給紙トレイにセットされた用紙は、加圧手段で給紙ロールに圧接され、給紙ロールの回転により１枚ずつ給紙される。給紙トレイを本体に収納するときは、給紙トレイを閉じる方向へ回動させると、給紙トレイの傾動動作で圧解除手段が加圧手段を作動させ、加圧手段による給紙ローラへの圧接を解除する。この圧接の解除によって、加圧手段の先端が本体側内方へ食い込むことがなくなる。これにより、給紙トレイの閉動作時に加圧手段が本体側の部品と接触することなく給紙トレイの開閉を行うことが可能となる。
【０００９】
請求項２記載の発明は、請求項１記載の給紙装置において、前記加圧手段は、用紙を給紙ローラへ押圧する押上板と、この押上板を押圧する加圧レバーとからなり、前記圧解除手段は、前記給紙トレイと一体的に設けられた圧解除レバーからなり、前記給紙トレイの閉動作時に、前記圧解除レバーが前記加圧レバーを当接傾動させ、前記加圧レバーの前記押上板への押圧を解除するものである。この構成においては、給紙トレイを閉じ方向に回動させると、それに連動して加圧レバーによる押上板の加圧が解除になる。
【００１０】
請求項３記載の発明は、請求項１記載の給紙装置において、前記圧解除手段は、前記給紙トレイの閉動作と連動して回動し、前記押上板に当接して、該押上板を押し下げるレバーを有しているものである。この構成においては、給紙トレイを閉じ方向に回動させると、それに連動するレバーが押上板を押し下げ、押上板の加圧が解除される。
【００１１】
【発明の実施の形態】
本発明を具体化した実施の形態について図面を参照して説明する。図１は第１の実施形態による給紙装置の全体構成を示し、図２及び図３はその要部の動作を説明するための図である。給紙装置は、複写機などの本体２０に支持軸３で開閉収納可能に装着された手差し用の給紙トレイ１を備え、本体２０側には給紙トレイ１上にセットされた用紙を本体２０内に１枚ごとに分離搬入する給紙ローラ１０を備えている。給紙トレイ１は、該給紙トレイ１上にセットされた用紙を給紙ローラ１０に圧接するための押上板２を備えている。この押上板２は、給紙トレイ１の側壁に形成された逆ヘ字状ガイド溝１２に後端側の押上板回動支持軸１１で給紙トレイ１に回動可能、かつ、移動可能に装着され、前端側の開放端付近が給紙ローラ１０に当接し得るものとされている。給紙トレイ１が開動作のために矢印Ａ方向に傾動させられた時には、押上板２は、押上板回動支持軸１１の回りに回動して押下げられると共に、逆へ字状ガイド溝１２に沿って本体２０から遠ざかる方向へ移動可能とされ、これにより給紙トレイ１内に収納自在とされている。給紙トレイ１には、押上板２の下方に位置して、押上板２を押し上げる加圧手段４、及びこの加圧手段４の下方に位置して加圧手段４による押上板２の押圧を解除するための圧解除手段５が設けられている
【００１２】
加圧手段４は、給紙トレイ１に軸支され、押上板２を押し上げるための加圧レバー７と、この加圧レバー７に付勢力を与える加圧スプリング９とからなり、加圧スプリング９は加圧レバー７の回動支持軸８の回りに嵌め込まれ、加圧スプリング９の復元力が加圧レバー７に伝達されて押上板２を押し上げる。加圧レバー７は先端部がヘ字状に折り曲げられると共に後端部はＬ字状に折り曲げられた形状で、先端部側のヘ字状の折り曲げ部の頂点を押上板２の下面に当接させ、押上板２を押し上げている。
【００１３】
本実施形態の加圧スプリング９には、渦巻きバネを用いている。この渦巻きバネは、その一端を給紙トレイ１の固定部材１８に当接させ、他端を後述の圧解除レバー６に当接させ、加圧レバー７と共に加圧レバー回動支持軸８にボルト１９で固定されている。
【００１４】
圧解除手段５は、給紙トレイ１の支持軸３の近傍に固定された圧解除レバー６を有し、この圧解除レバー６は、給紙トレイ１が閉動作する時に、加圧レバー７のＬ字状後端部に当接して加圧レバー７による押上板２の加圧を解除する。
【００１５】
次に、上記の構成の動作を図２、図３を加えて説明する。給紙トレイ１を開いた状態にて、給紙トレイ１内の押上板２上に用紙をセットして、給紙動作を行う。給紙トレイ１を本体２０に収納する時は、給紙トレイ１を矢印Ａ方向へ回動させる。この動作により、圧解除レバー６が加圧レバー７のＬ字状後端部に当接して、加圧スプリング９の付勢力に抗して加圧レバー回動支持軸８の回りに加圧レバー７を矢印Ｂ方向へ傾動させ、加圧レバー７の先端部７ｂによる給紙ローラ１０への押圧を解除する。上記動作において、給紙トレイ１の傾動に連動して押上板２が押し下げられるので、従来のように押上板の回動軌跡が本体に食い込まないようになる。そのため、押上板２が本体側に装着された部品等と接触することなく給紙トレイ１を開閉することができる。また、給紙トレイ１を本体２０に収納して、装置の小型化も実現できる。
【００１６】
上記とは逆に、給紙トレイ１を閉状態から開く時は、給紙トレイ１を矢印Ａ方向と反対方向に回動させることにより、圧解除レバー６が加圧レバー７のＬ字状後端部７ａから離間し、加圧スプリング９の復元力により加圧レバー７が回動して、押上板２を押し上げる。これにより、押上板２は給紙ローラ１０を押圧する状態に戻る。なお、加圧スプリング９は、図２、図３においては、同一の機能を果たすものとして引っ張りバネで示している。
【００１７】
次に、本発明の第２の実施の形態による給紙装置について図４を参照して説明する。給紙装置は、上述と同様に本体（不図示）に給紙トレイ回転支点軸１３の回りに回動して開閉収納可能に装着された手差し用の給紙トレイ１を備え、この給紙トレイ１には回動可能に押上板２が装着されている。
【００１８】
給紙トレイ回転支点軸１３には、その一端又は両端にギア１４が固定され、また、給紙トレイ１にはこのギア１４と噛み合うギア部１５を有するレバー１６が回動可能に装着されている。押上板２の開放端の幅方向端面には、レバー１６が回動した時に当接し得る突起１７が突設されている。
【００１９】
上記構成において、給紙トレイ１を閉じるために、給紙トレイ１を矢印Ａ方向へ回動させると、給紙トレイ回転支点軸１３が給紙トレイ１と一体となって回動し、ギア１４が給紙トレイ回転支点軸１３の回転方向と同一方向に回転する。このギア１４と噛み合っているギア部１５を有するレバー１６は該ギア１４の回転方向と逆方向、即ち、矢印Ｃ方向へ回転し、レバー１６の側壁１６ａは突起１７に当設し、押上板２を押し下げる。このように、給紙トレイ１の開動作に伴って、押上板２は連動して押し下げられるので、押上板２が本体２０側に食い込むことがなく、部品を損傷するようなことが防止される。
【００２０】
なお、本発明は、上記実施の形態の構成に限られることなく、種々の変形が可能であり、例えば、上記では手差し用の給紙トレイについて説明したが、手差し用に限られるものではない。また、加圧手段や圧解除手段についても任意の形態を採用することができる。
【００２１】
【発明の効果】
以上のように本発明によれば、給紙トレイの閉動作と連動して加圧手段を構成する押上板の給紙ローラへの押圧が解除されるので、押上板の回動軌跡が本体側へ食い込むことがなくなり、従って、押上板が本体側部品と接触して、給紙トレイや本体部品を破損するといったことがなくなる。
【図面の簡単な説明】
【図１】本発明の第１の実施形態による給紙装置の側断面図である。
【図２】同給紙装置の要部側面図である。
【図３】同要部の拡大図である。
【図４】本発明の第２の実施形態による給紙装置の要部斜視図である。
【図５】従来の給紙装置の側面図である。
【符号の説明】
１  給紙トレイ
２  押上板
３  支持軸
４  加圧手段
５  圧解除手段
６  圧解除レバー
７  加圧レバー
９  加圧スプリング
１０  給紙ローラ
１４  ギア
１５  ギア部
１６  レバー
１７  突起
２０  本体
【図１】
0003659073.tif 000002
【図２】
0003659073.tif 000003
【図３】
0003659073.tif 000004
【図４】
0003659073.tif 000005
【図５】
0003659073.tif 000006